【手続補正書】
【提出日】平成26年8月21日(2014.8.21)
【手続補正１】
【補正対象書類名】特許請求の範囲
【補正対象項目名】全文
【補正方法】変更
【補正の内容】
【特許請求の範囲】
【請求項１】
遊技者の操作によって遊技球が打ち込まれる遊技領域と、
前記遊技領域に配置された入球口と、
前記入球口から入球した前記遊技球を案内する連絡通路と、
前記連絡通路によって案内された前記遊技球を受け入れ可能な複数の球受部を有し、遊技状態に応じて回動する回動体と、
前記複数の球受部のうちの少なくとも一つである特定球受部に案内された前記遊技球を前記特定球受部から外部に排出可能な特定排出部、および前記遊技球を前記特定球受部内で保持可能な非排出部を有するベース部材と、
前記特定排出部を閉状態とする位置と前記特定排出部を開状態とする位置との間を遊技状態に応じて移動する開閉部材と、を備え、
前記回動体が回動している状態、かつ前記開閉部材によって前記特定排出部が開状態とされている前記特定球受部内の前記遊技球は、前記特定球受部が前記特定排出部に位置しないときには前記特定球受部内に保持された状態で前記非排出部上を転動する一方、前記特定球受部が前記特定排出部に位置することでその保持されていた特定球受部から前記特定排出部を通じて外部に排出され、
前記回動体が回動している状態、かつ前記開閉部材によって前記特定排出部が閉状態とされている前記特定球受部内の前記遊技球は、前記特定球受部内に保持された状態で前記非排出部上および前記開閉部材上を転動するとともに、この転動する遊技球を保持する特定球受部には新たな遊技球が入球不能に構成され、
前記回動体は、前記複数の球受部のうちの少なくとも一つであって前記特定球受部とは異なる特別球受部を有するとともに、前記ベース部材は、前記特別球受部に保持された前記遊技球を外部に排出可能な前記特定排出部とは異なる特別排出部を有し、
前記特定球受部内に保持された前記遊技球は、前記開閉部材によって開状態とされた前記特定排出部上に前記特定球受部が位置したときに前記特定排出部に入球可能に構成される一方、前記特定球受部が前記特別排出部上に位置しても前記特別排出部に入球不能に構成され、
前記特別球受部内に保持された前記遊技球は、前記特別球受部が前記特別排出部上に位置したときに前記特別排出部に入球可能に構成される一方、前記開閉部材によって開状態とされた前記特定排出部上に前記特別球受部が位置しても前記特定排出部に入球不能に構成されていることを特徴とする遊技機。
【請求項２】
前記回動体は、複数の前記特定球受部を有し、
前記開閉部材によって前記特定排出部が閉状態とされ、かつ複数の特定球受部のうちのいずれかである所定の特定球受部に前記遊技機が保持されている状態で、前記新たな遊技球が前記連絡通路を通じて前記回動体に案内された際には、この新たな遊技球は当該所定の特定球受部とは異なる球受部に入球することを特徴とする請求項１に記載の遊技機。
【請求項３】
前記開閉部材によって前記特定排出部が閉状態とされているときに、回動する前記回動体の前記特定球受部内に保持された前記遊技球を前記非排出部上と前記開閉部材上との間を受け渡しする際の前記遊技球に対する抵抗を抑制可能な傾斜部が前記開閉部材の側縁に形成されていることを特徴とする請求項１または請求項２に記載の遊技機。
【手続補正２】
【補正対象書類名】明細書
【補正対象項目名】０００７
【補正方法】変更
【補正の内容】
【０００７】
上記課題を解決するためになされた請求項１の発明にかかる遊技機は、遊技者の操作によって遊技球が打ち込まれる遊技領域と、前記遊技領域に配置された入球口と、前記入球口から入球した前記遊技球を案内する連絡通路と、前記連絡通路によって案内された前記遊技球を受け入れ可能な複数の球受部を有し、遊技状態に応じて回動する回動体と、前記複数の球受部のうちの少なくとも一つである特定球受部に案内された前記遊技球を前記特定球受部から外部に排出可能な特定排出部、および前記遊技球を前記特定球受部内で保持可能な非排出部を有するベース部材と、前記特定排出部を閉状態とする位置と前記特定排出部を開状態とする位置との間を遊技状態に応じて移動する開閉部材と、を備え、前記回動体が回動している状態、かつ前記開閉部材によって前記特定排出部が開状態とされている前記特定球受部内の前記遊技球は、前記特定球受部が前記特定排出部に位置しないときには前記特定球受部内に保持された状態で前記非排出部上を転動する一方、前記特定球受部が前記特定排出部に位置することでその保持されていた特定球受部から前記特定排出部を通じて外部に排出され、前記回動体が回動している状態、かつ前記開閉部材によって前記特定排出部が閉状態とされている前記特定球受部内の前記遊技球は、前記特定球受部内に保持された状態で前記非排出部上および前記開閉部材上を転動するとともに、この転動する遊技球を保持する特定球受部には新たな遊技球が入球不能に構成され、前記回動体は、前記複数の球受部のうちの少なくとも一つであって前記特定球受部とは異なる特別球受部を有するとともに、前記ベース部材は、前記特別球受部に保持された前記遊技球を外部に排出可能な前記特定排出部とは異なる特別排出部を有し、前記特定球受部内に保持された前記遊技球は、前記開閉部材によって開状態とされた前記特定排出部上に前記特定球受部が位置したときに前記特定排出部に入球可能に構成される一方、前記特定球受部が前記特別排出部上に位置しても前記特別排出部に入球不能に構成され、前記特別球受部内に保持された前記遊技球は、前記特別球受部が前記特別排出部上に位置したときに前記特別排出部に入球可能に構成される一方、前記開閉部材によって開状態とされた前記特定排出部上に前記特別球受部が位置しても前記特定排出部に入球不能に構成されていることを要旨とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
請求項３の発明は、請求項１または請求項２に記載の遊技機において、前記開閉部材によって前記特定排出部が閉状態とされているときに、回動する前記回動体の前記特定球受部内に保持された前記遊技球を前記非排出部上と前記開閉部材上との間を受け渡しする際の前記遊技球に対する抵抗を抑制可能な傾斜部が前記開閉部材の側縁に形成されているところに特徴を有する。
【手続補正７】
【補正対象書類名】明細書
【補正対象項目名】００１３
【補正方法】変更
【補正の内容】
【００１３】
請求項１に記載の発明では、特定球受部に保持された遊技球は、開閉部材によって特定排出部が閉状態とされている限り、回動体とともに転動し、特定排出部から排出されることはない。つまり、開閉部材を操作することにより、特定球受部に保持された遊技球がすぐに排出されないようにすることが可能となる。かかる機能を利用し、新たな遊技球が回動体に案内されるまで特定球受部に保持された遊技球が排出されないようにすれば、同じ特定球受部に連続して遊技球が入球することはない。
また、回動体が回動しているとき、特別球受部内に保持された遊技球が特定排出部から排出されることがない。換言すれば、特別球受部に入球した遊技球を、確実に特別排出部を通じて排出させることが可能となる。
また、回動体が回動しているとき、特定球受部内に保持された遊技球が特別排出部から排出されることがない。換言すれば、特定球受部に入球した遊技球を、確実に特定排出部を通じて排出させることが可能となる。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】変更
【補正の内容】
【００１８】
請求項３に記載の発明によれば、非排出部と開閉部材を橋渡しするように傾斜部が設けられているため、両者の境界において遊技球をスムーズに転動させることが可能となる。具体的には、両者の境界を転動する際の抵抗（段差による衝撃等）により遊技球が球受部から飛び出てしまう等の問題の発生を抑えることが可能となる。